(57)【要約】【課題】  十分早くに地震を感知することができ、したがって完全なエスカレータの管制運転を行うことが可能な、エスカレータ地震時管制運転システムを提供すること。【解決手段】  地震の波から求められた少なくとも震源地及び地震発生時刻を含むリアルタイム地震情報を受信する地震情報受信手段１４と、この地震情報受信手段１４により受信した前記リアルタイム地震情報に含まれる情報から現在地における地震の波の到達時刻を予測する地震予測手段１５と、この地震予測手段１５により予測された地震の到達時刻に応じて、エスカレータの管制運転を制御する制御手段１６とを有する。【選択図】図１
2005145698.tif 000002
【特許請求の範囲】
【請求項１】
地震の波から求められた少なくとも震源地及び地震発生時刻を含むリアルタイム地震情報を受信する地震情報受信手段と、
この地震情報受信手段により受信した前記リアルタイム地震情報に含まれる情報から現在地における地震の波の到達時刻を予測する地震予測手段と、
この地震予測手段により予測された地震の到達時刻に応じて、エスカレータの管制運転を制御する制御手段とを有することを特徴とするエスカレータ地震時管制運転システム。
【請求項２】
地震の波から求められた少なくとも震源地、地震の大きさ及び地震発生時刻を含むリアルタイム地震情報を受信する地震情報受信手段と、
この地震情報受信手段により受信した前記リアルタイム地震情報に含まれる情報から現在地における地震の波の到達時刻及び震度を予測する地震予測手段と、
この地震予測手段により予測された前記震度が所定値より大きいとき、エスカレータを停止させる管制運転制御手段とを有することを特徴とするエスカレータ地震時管制運転システム。
【請求項３】
前記管制運転制御手段は、前記地震予測手段により予測された前記震度が前記所定値より小さいときエスカレータを徐行運転させることを特徴とする請求項２記載のエスカレータ地震時管制運転システム。
【請求項４】
前記管制運転制御手段は、前記地震予測手段により予測された前記地震の到達時刻の前にエスカレータを停止又は徐行運転させることを特徴とする請求項２又は３記載のエスカレータ地震時管制運転システム。
【請求項５】
前記管制運転制御手段によりエスカレータの管制運転を行うとき、その旨の警告をエスカレータの利用者に行う管制運転警告手段を更に有することを特徴とする請求項１乃至４のいずれか１記載のエスカレータ地震時管制運転システム。
【請求項６】
前記管制運転制御手段は、各エスカレータ毎に設けられ各エスカレータを制御する複数のエスカレータ運転制御装置を制御することにより前記前記エスカレータの管制時運転制御を行うことを特徴とする請求項１乃至５のいずれか１記載のエスカレータ地震時管制運転システム。
【発明の詳細な説明】
【技術分野】
【０００１】
本発明は、地震があったときエスカレータを停止させる地震時管制運転システムに関する。
【背景技術】
【０００２】
ある地域において地震があったときにはその地域のエレベータやエスカレータを停止させることが必要であり、各ビルに地震感知器を設置して、地震を感知したら自動的に、エレベータを地震管制運転に切り替えるとともに保守センタなどに通報するシステムがある。これらのエレベータ設置の各ビルに設置する地震感知器の数を減らすことあるいは、地震感知器を少なくしても確実に感知できるシステムも知られている。
【０００３】
また、エスカレータに地震感知器を設けることも知られている。しかし、従来のエスカレータの地震感知装置はいずれも、実際に地震が来たことを感知してから、地震に対する方策を行うため、時間に余裕がなく十分満足できるように管制運転をすることができなかった。どのような場合にも、地震が来ることをできるだけ早く知ることが最も重要であり、感知時期が早いほど、動作中のエレベータやエスカレータに対して安全確実な管制運転を行うことができる。
【発明の開示】
【発明が解決しようとする課題】
【０００４】
本発明は、上述のような従来の監視装置の問題点に鑑みてなされたもので、十分早くに地震を感知することができ、したがって完全なエスカレータの管制運転を行うことが可能な、エスカレータ地震時管制運転システムを提供することを目的とする。
【課題を解決するための手段】
【０００５】
本発明の請求項１によれば、地震の波から求められた少なくとも震源地及び地震発生時刻を含むリアルタイム地震情報を受信する地震情報受信手段と、この地震情報受信手段により受信した前記リアルタイム地震情報に含まれる情報から現在地における地震の波の到達時刻を予測する地震予測手段と、この地震予測手段により予測された地震の到達時刻に応じて、エスカレータの管制運転を制御する制御手段とを有することを特徴とするエスカレータ地震時管制運転システムを提供する。
【０００６】
本発明の請求項２によれば、地震の波から求められた少なくとも震源地、地震の大きさ及び地震発生時刻を含むリアルタイム地震情報を受信する地震情報受信手段と、この地震情報受信手段により受信した前記リアルタイム地震情報に含まれる情報から現在地における地震の波の到達時刻及び震度を予測する地震予測手段と、この地震予測手段により予測された前記震度が所定値より大きいとき、エスカレータを停止させる管制運転制御手段とを有することを特徴とするエスカレータ地震時管制運転システムを提供する。
【０００７】
本発明の請求項３によれば、前記管制運転制御手段は、前記地震予測手段により予測された前記震度が前記所定値より小さいときエスカレータを徐行運転させることを特徴とする請求項２記載のエスカレータ地震時管制運転システムを提供する。
【０００８】
本発明の請求項４によれば、前記管制運転制御手段は、前記地震予測手段により予測された前記地震の到達時刻の前にエスカレータを停止又は徐行運転させることを特徴とする請求項２又は３記載のエスカレータ地震時管制運転システムを提供する。
【０００９】
本発明の請求項５によれば、前記管制運転制御手段によりエスカレータの管制運転を行うとき、その旨の警告をエスカレータの利用者に行う管制運転警告手段を更に有することを特徴とする請求項１乃至４のいずれか１記載のエスカレータ地震時管制運転システムを提供する。
【００１０】
本発明の請求項６によれば、前記管制運転制御手段は、各エスカレータ毎に設けられ各エスカレータを制御する複数のエスカレータ運転制御装置を制御することにより前記前記エスカレータの管制時運転制御を行うことを特徴とする請求項１乃至５のいずれか１記載のエスカレータ地震時管制運転システムを提供する。
【発明の効果】
【００１１】
本発明によれば、十分早くに地震を感知することができしたがって完全なエスカレータの管制運転を行うことが可能な、エスカレータ地震時管制運転システムを得ることができる。
【発明を実施するための最良の形態】
【００１２】
本発明の特徴の１つは、リアルタイム地震情報を利用してエスカレータの管制運転を行う点にある。このリアルタイム地震情報システムは、独立行政法人防災科学技術研究所が全国的に展開・推進する高感度地震観測網（Ｈｉ−Ｎｅｔ）を用いて地震の到達時刻や規模を予め知ることができる情報を提供を提供できるシステムである。
【００１３】
地震波は地中を伝播して広がっていくがこの地震波にはＰ波とＳ波の２種類がある。Ｓ波は遅く伝播するが地震被害の原因となる横揺れの波（主要動）であり、Ｐ波はＳ波より早く伝播するが振動の大きさはＳ波より小さい縦揺れの波（初動）である。上記防災科学技術研究所ではＰ波の到達時刻やＰ波が未だ到達していない地点におけるデータを利用して、即時に震源を決定する手法を開発している。この情報により震源から離れるほど余裕を持って地震の主要動（Ｐ波）が到達する前に、これから来る地震の時刻や規模を知ることができる。本発明ではこのＰ波を検知してエスカレータの管制運転を行うものである。
【００１４】
以下、本発明によるエスカレータ地震時管制運転システムの実施形態について図面を用いて説明する。
【００１５】
図１に、本発明一実施形態のエスカレータ地震時管制運転システムの構成例を示す。
【００１６】
このエスカレータ地震時管制運転システム１１は、ネットワーク１２を介してリアルタイム地震情報送信装置１３に接続されており、リアルタイム地震情報送信装置１３から送信されるリアルタイム地震情報、即ちＰ波に関する情報を受信するリアルタイム地震情報受信装置１４と、受信したＰ波からＳ波情報を予測するＳ波情報予測装置１５と、このＳ波情報予測装置１５から出力されるＳ波情報に基づいてエスカレータの管制運転を行うエスカレータ管制運転制御装置１６とから成る。エスカレータ管制運転制御装置１６は通常の運転制御と地震が来たときの管制運転時の運転制御の機能を有しており、この出力に基づいて建物１７内に設置されたエスカレータ１８Ａ、エスカレータ１８Ｂが制御される。
【００１７】
リアルタイム地震情報の送信するまでと、この地震情報を受信してからの本発明のこの実施形態における処理の流れを、図２（ａ）（ｂ）に基づいて説明する。
【００１８】
図２（ａ）に示すようにステップＳ２１では、まず地震が発生したかをＰ波の受信によって検知する。このＰ波を検知する場所は、通常広い範囲にわたって複数地点ある。Ｐ波を検知すると、次のステップＳ２２では、検知したＳ波の受信時刻、大きさなどから地震の発生時刻、震源位置、地震の大きさ（マグニチュード）などを計算する。次のステップＳ２３ではそれらの計算値に基づいて、リアルタイム地震情報を作成する。作成されたリアルタイム地震情報は図１に示すリアルタイム地震情報送信装置１３から高速の公衆回線や専用ネットワークなどのネットワーク１２に送り出される。
【００１９】
図２（ｂ）に示すように、ステップＳ２５では、エスカレータ地震時管制運転システム１１は、ネットワーク１２に送り出されたリアルタイム地震情報が受信されたか調べられる。エスカレータ地震時管制運転システム１１では、リアルタイム地震情報受信装置１４においてそのリアルタイム地震情報を受信すると、Ｓ波情報予測装置１５に送られる。Ｓ波情報予測装置１５では、ステップＳ２６において、まずリアルタイム地震情報を分析する。次のステップＳ２７では、上記のリアルタイム地震情報のデータから、震源地からの距離を考慮してＳ波がエスカレータ１８Ａ、１８Ｂのある地域に到達する時刻及びそのときの地震の大きさなどを予測する。
【００２０】
Ｓ波情報予測装置１５において、地震到達時刻、地震の大きさが予測されるとこの情報は、エスカレータ管制運転制御装置１６に入力され、例えばステップＳ２８で算出される地震の大きさが一定の震度以上になるかどうか、判断される。
【００２１】
ステップＳ２８において、例えば一定震度を３と設定している場合に、予測震度が３以上であったとすると、ステップＳ２９で対応するエスカレータ１８Ａ，１８Ｂを停止させる。一方、ステップＳ２８において予測震度が３まで達していなければ、ステップＳ３０においてエスカレータ１８Ａ，１８Ｂを徐行運転に切り替える。
【００２２】
いずれにしても、非常に小さい震度の地震以外の場合には、次のステップＳ３１では、地震が来ることを表示装置に表示することによりエスカレータの乗客に、警告し注意を喚起する。
【００２３】
この地震が来ることの表示は図３に示すように、例えばディスプレィ上に、「＜緊急地震情報＞  １５秒位経つと、この地域一帯に地震規模３程度の地震が来ますので、このエスカレータを減速運転させていただきます。」と表示する。この表示と同時にあるいは、音声のみで同様な放送を行うようにすることができる。このようにすれば、エスカレータの利用者に地震管制運転を知らせることができると共に、地震が来ることの警告を行うこともできる利点がある。
【００２４】
次のステップＳ３２において、地震がくるまでは、予測震度に基づいてエスカレータの管制運転を行い、実際に地震が来たことを検知したら再びステップＳ２５に戻ってリアルタイム地震情報の受信を行う。
【００２５】
上記実施形態では、予測震度が３以上か否かによってエスカレータの運転を停止するか徐行させるか決めたが勿論、予測震度を変えても良いし、徐行運転の速度を複数にするとか、予測震度に応じて管制運転をもっと細かく制御できるようにしてもよい。また、地震が来ると予測時刻の所定時間前までは徐行運転を行い、その時刻から実際に地震が来るまでは、エスカレータを停止させるようにすることもできる。このようなエスカレータの管制運転はデスプレィ装置に表示し、エスカレータの利用客の注意を喚起すればよい。
【００２６】
なお、上記実施形態では、１つの建物１７内に設置されているエスカレータ１８Ａ，１８Ｂを直接制御したが、図４に示すように、エスカレータ管制運転制御装置４１を有し、これにより無線で各エスカレータ４２Ａ，４２Ｂ，４２Ｃ，・・・の運転を制御しているエスカレータ運転制御装置４３Ａ，４３Ｂ，４３Ｃ，・・・を一括して制御するようにすることもできる。この場合、予測される地震の大きさが大きい場合には、エスカレータ管制運転制御装置４１から各エスカレータ運転制御装置へ、エスカレータ停止の制御信号を送信することができる。
【００２７】
エスカレータ管制運転制御装置４１によるエスカレータの管制運転制御は有線で行ってもよい。このように、エスカレータ地震時管制運転システムを各エスカレータ毎あるいは建物毎に設けるのではなく、複数の建物を含む１エリアに１つのエスカレータ管制運転制御装置を設置し、これから無線または有線でその建物内のエスカレータを管制運転するようにすれば、エスカレータ地震時管制運転システムやリアルタイム地震情報受信装置を建物の数に応じて増やす必要がないという利点がある。
【００２８】
上記実施形態では、リアルタイム地震情報から震源地、地震発生時刻及び地震の大きさを用いてＳ波の到達時刻、到達する地震の大きさを予測する場合について説明したが、本発明では、地震の大きさが通常程度と見られる場合などでは、リアルタイム地震情報から震源地、地震発生時刻の情報のみから地震到達時刻を予測するだけでもよい。
【図面の簡単な説明】
【００２９】
【図１】本発明一実施形態の全体構成例を示す図。
【図２】本発明一実施形態の動作を説明するための図。
【図３】本発明一実施形態においてエスカレータの利用者に警告を行う表示例を示す図。
【図４】本発明の他の実施形態を説明するための図。
【符号の説明】
【００３０】
１１・・・エスカレータ地震時管制運転システム、
１２・・・ネットワーク、
１３・・・リアルタイム地震情報送信装置、
１４・・・リアルタイム地震情報受信装置、
１５・・・Ｓ波情報予測装置、
１６・・・エスカレータ管制運転制御装置、
１７・・・建物、
１８・・・エスカレータ管制運転制御装置、
４２Ａ，４２Ｂ，４２Ｃ・・・エスカレータ、
４３Ａ，４３Ｂ，４３Ｃ・・・エスカレータ運転制御装置。
【図１】
2005145698.tif 000003
【図２】
2005145698.tif 000004
【図３】
2005145698.tif 000005
【図４】
2005145698.tif 000006